(57)【要約】【課題】背当と座当とを快速に結合可能であるＯＡ椅子を提供する。【解決手段】調整具と、弾性体と、結合具とを含むＯＡ椅子において、調整具は、背当と結合する第一端と、軸方向に収容空間が設けてある第二端とを有し、第二端の両側には収容空間と連通する貫通孔がそれぞれ開設してあり、弾性体は収容空間に設置され、その両端に凸部がそれぞれ設けてあり、凸部が貫通孔に貫入され、結合具は、座当と結合する第一端と、軸方向に収容穴が設けてある第二端とを有し、収容穴に調整具にある第二端が挿入され、結合具の第二端の両側には、収容穴と連通する貫通孔がそれぞれ開設してある。【選択図】図３
0003135356.tif 000002
【実用新案登録請求の範囲】
【請求項１】
調整具と、弾性体と、結合具とを含むＯＡ椅子において、前記調整具は、背当と結合する第一端と、軸方向に収容空間が設けてある第二端とを有し、前記第二端の両側には、前記収容空間と連通する貫通孔がそれぞれ開設してあり、前記弾性体は、前記収容空間に設置され、その両端に凸部がそれぞれ設けてあり、前記凸部が前記貫通孔に貫入され、前記結合具は、座当と結合する第一端と、軸方向に収容穴が設けてある第二端とを有し、前記収容穴に前記調整具にある第二端が挿入され、前記結合具の第二端の両側には、前記収容穴と連通する貫通孔がそれぞれ開設してあることを特徴とするＯＡ椅子。
【請求項２】
前記調整具の第二端には結合部が設けてあり、前記結合部の両側には係り穴がそれぞれ開設してあり、前記係り穴が前記収容空間と連通することを特徴とする、請求項１に記載のＯＡ椅子。
【請求項３】
前記弾性体の中段には結合部が設けてあり、前記結合部の両側には突出部がそれぞれ設けてあり、前記突出部は、前記係り穴と前記貫通孔とに貫入可能であることを特徴とする、請求項１に記載のＯＡ椅子。
【請求項４】
前記弾性体は、ほぼＵ字形を呈することを特徴とする、請求項１に記載のＯＡ椅子。
【請求項５】
前記弾性体はリードであることを特徴とする、請求項１に記載のＯＡ椅子。
【請求項６】
更に、二つの連接具を含み、前記連接具は、座当と結合する第一端と、背当に枢着される第二端とを有し、前記背当は前記第二端に対して旋回可能であることを特徴とする、請求項１に記載のＯＡ椅子。
【考案の詳細な説明】
【技術分野】
【０００１】
本考案は、ＯＡ椅子の構造に係り、特に、背当と座当とを快速に結合可能のＯＡ椅子に関するものである。
【背景技術】
【０００２】
従来のＯＡ椅子１は、図１に示すように、一つの支持枠２と、一つの座当３と、一つの結合具４と、一つの背当５と、四つの締付具６とを含み、前記座当３は、第一端７と、第二端８とを有し、前記第一端７が前記支持枠２と結合し、前記第二端８に四つのネジ穴９が開設してあり、前記結合具４は、第一端１０と、第二端１１とを有し、前記第一端１０が前記背当５と結合し、前記第二端１１に四つの貫通孔１２が開設してあり、前記締付具６が前記貫通孔１２を貫入して前記ネジ穴９にねじ込まれる。
【０００３】
前記結合具４と前記座当３との結合は前記締付具６により施すので、運搬の過程中に、ＯＡ椅子１の占めるスペースを低減するために、前記締付具６を緩めて背当５を座当３の上で設置するのは一般であり、しかし、そうすると、組付作業が面倒になり、且つ締付具６の体積が小さいので、紛失し易い欠点があった。
【０００４】
従来のＯＡ椅子１の組付作業は、手工具によって前記締付具６を締付けると共に、締付の過程中に、一つの手で背当５を持ち、一つの手で締付具６をねじ込むことが必要であるので、長時間に作業したあと、アームが痛くなる欠点があった。
【考案の開示】
【考案が解決しようとする課題】
【０００５】
本考案の主な目的は、背当と座当とを快速に結合可能のＯＡ椅子を提供することにある。
【課題を解決するための手段】
【０００６】
上記目的を達成するためになされた本考案は、調整具と、弾性体と、結合具とを含むＯＡ椅子において、前記調整具は、背当と結合する第一端と、軸方向に収容空間が設けてある第二端とを有し、前記第二端の両側には、前記収容空間と連通する貫通孔がそれぞれ開設してあり、前記弾性体は、前記収容空間に設置され、その両端に凸部がそれぞれ設けてあり、前記凸部が前記貫通孔に貫入され、前記結合具は、座当と結合する第一端と、軸方向に収容穴が設けてある第二端とを有し、前記収容穴に前記調整具にある第二端が挿入され、前記結合具の第二端の両側には、前記収容穴と連通する貫通孔がそれぞれ開設してあることを特徴とするＯＡ椅子であることを要旨としている。
【０００７】
本考案では、前記調整具の第二端には結合部が設けてあり、前記結合部の両側には係り穴がそれぞれ開設してあり、前記係り穴が前記収容空間と連通することを特徴とする請求項１に記載のＯＡ椅子であることを要旨としている。
【０００８】
本考案では、前記弾性体の中段には結合部が設けてあり、前記結合部の両側には突出部がそれぞれ設けてあり、前記突出部は、前記係り穴と前記貫通孔とに貫入することを特徴とする請求項１に記載のＯＡ椅子であることを要旨としている。
【０００９】
本考案では、前記弾性体はほぼＵ字形を呈することを特徴とする請求項１に記載のＯＡ椅子であることを要旨としている。
【００１０】
本考案では、前記弾性体はリードであることを特徴とする請求項１に記載のＯＡ椅子であることを要旨としている。
【００１１】
本考案では、更に、二つの連接具を含み、前記連接具は、座当と結合する第一端と、背当に枢着される第二端とを有し、前記背当は前記第二端に対して旋回可能であることを特徴とする請求項１に記載のＯＡ椅子であることを要旨としている。
【考案の効果】
【００１２】
本考案のＯＡ椅子によれば、次のような効果がある。
（イ）弾性体を有するので、調整具と結合具とを快速に脱着可能になる。
【００１３】
（ロ）凸部が貫通孔に貫入されたときに、座当と背当とが第一水平距離を発生し、突出部が貫通孔に貫入されたときに、座当と背当とが第二水平距離を発生し、第一水平距離が第二水平距離よりも大きく、このような構成により、座当と背当との距離を調整可能である。
【００１４】
（ハ）連接具の第二端が背当に枢着され、背当は第二端に対して旋回可能である。これにより、調整具と結合具とが分離された場合には、背当が第二端に対して旋回可能であるので、背当を座当の上で設置可能になり、全体の占めるスペースを低減することができ、運輸コストが降下する。
【考案を実施するための最良の形態】
【００１５】
以下、添付図面を参照して本考案の好適な実施の形態を詳細に説明する。
【００１６】
まず、図２と図３を参照する。図２と図３に示した本考案の実施例１のＯＡ椅子２０は、図８に示すように、主に、調整具３０と、弾性体４０と、結合具５０とを含み、図４に示すように、前記弾性体４０により、調整具３０と結合具５０との相対移動が規制される。
【００１７】
前記調整具３０は、背当２１と結合する第一端３１と、軸方向に収容空間３２１が設けてある第二端３２とを有し、前記第二端３２の両側には、前記収容空間３２１と連通する貫通孔３２２がそれぞれ開設してある。前記第二端３２に結合部３２３が設けてあり、前記結合部３２３の両側には、前記収容空間３２１と連通する係り穴３２４がそれぞれ開設してある。
【００１８】
前記弾性体４０は、リードであり、ほぼＵ字形を呈し、開口４１が開設してあり、前記収容空間３２１内に設置される。前記弾性体４０の中段には結合部４２が設けてあり、前記結合部４２の両側には突出部４２１がそれぞれ設けてあり、前記突出部４２１が前記係り穴３２４に貫入可能である。前記弾性体４０の両端に凸部４３がそれぞれ設けてあり、前記凸部４３も前記貫通孔３２２に貫入可能である。
【００１９】
前記結合具５０は、座当２２と結合する第一端５１と、軸方向に収容穴５２１が設けてある第二端５２とを有し、図５に示すように、前記収容穴５２１に前記調整具３０にある第二端３２が挿入され、前記結合具５０の第二端５２の両側には、前記収容穴５２１と連通する貫通孔５２２がそれぞれ開設してあり、前記凸部４３が前記貫通孔５２２に貫入可能であり、且つ突出部４２１も前記貫通孔５２２に貫入可能である。
【００２０】
これにより、前記凸部４３により、調整具３０と結合具５０との相対移動が規制される。
【００２１】
また、図６を参照する。図６は本考案の操作状態を示す断面図１である。前記調整具３０を押すと、前記調整具３０が収容穴５２１に貫入され、収容穴５２１の両側面が前記二つの凸部４３を押付けるようになり、弾性体４０の開口４１が小さくなって、前記凸部４３が貫通孔５２２へ移動するようになり、これにより、前記調整具３０は、前記収容穴５２１内に前記収容穴５２１の軸方向に沿って移動可能である。
【００２２】
また、また、図７を参照する。図７は本考案の操作状態を示す断面図２である。前記二つの凸部４３を同時に押すと、前記二つの凸部４３は前記貫通孔３２２から遠ざかった方向へ移動するようになり、且つ前記弾性体４０の開口が小さくなり、これにより、前記調整具３０は、前記結合具５０に対して前記結合具５０の軸方向に沿って移動可能である。
【００２３】
また、図８と図９を参照する。図８は本考案の使用状態を示す側面図１であり、図９は本考案の使用状態を示す側面図２である。本考案のＯＡ椅子２０は、更に、二つの連接具６０を含み、前記連接具６０は、座当２２と結合する第一端６１と、背当２１に枢着される第二端６２とを有し、前記背当２１は前記第二端６２に対して旋回可能である。これにより、調整具３０と結合具５０とが分離された場合には、背当２１が第二端６２に対して旋回可能であるので、背当２１を座当２２の上で設置可能になり、全体の占めるスペースを低減することができ、運輸コストが降下する。
【００２４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２５】
【図１】従来のＯＡ椅子の一部の分解斜視図
【図２】本考案の組合状態の斜視図
【図３】本考案の分解斜視図
【図４】図２における４-４線に沿った断面図。本考案の組合状態を示す。
【図５】本考案の側面図
【図６】本考案の操作状態を示す断面図１
【図７】本考案の操作状態を示す断面図２
【図８】本考案の使用状態を示す側面図１
【図９】本考案の使用状態を示す側面図２
【符号の説明】
【００２６】
１        ＯＡ椅子                                   
２        支持枠
３        座当                                                     
４        結合具
５        背当                                                     
６        締付具
７        第一端                                      
８        第二端
９        ネジ穴                                      
１０      第一端
１１      第二端                                      
１２      貫通孔
２０      ＯＡ椅子                                   
２１      背当
２２      座当                                                     
３０      調整具
３１      第一端                                      
３２      第二端
３２１    収容空間                                   
３２２    貫通孔
３２３    結合部                                      
３２４    係り穴
４０      弾性体                                      
４１      開口
４２      結合部                                      
４２１    突出部
４３      凸部                                                     
５０      結合具
５１      第一端                                      
５２      第二端
５２１    収容穴                                      
５２２    貫通孔
６０      連接具                                      
６１      第一端
６２      第二端
【図１】
0003135356.tif 000003
【図２】
0003135356.tif 000004
【図３】
0003135356.tif 000005
【図４】
0003135356.tif 000006
【図５】
0003135356.tif 000007
【図６】
0003135356.tif 000008
【図７】
0003135356.tif 000009
【図８】
0003135356.tif 000010
【図９】
0003135356.tif 000011